(57)【要約】【課題】  食器棚，本棚，陳列棚等の種々の収納家具における引戸において、特に引戸の戸閉側端部付近に近接させることで、その引戸を戸閉側端部に強制的に引き寄せるとともに、その戸閉終了間際における引戸の速度が適正に減速され良好な戸閉動作とすることができ、且つ開閉開始時における引戸の動作を安定させること。【解決手段】  ガイドレールの端部箇所に装着されたケーシングＡ内において適宜の領域を摺動する摺動部材１に回動自在にフック部材２が装着され、前記摺動部材１がコイルスプリング３を介して戸閉側に付勢されること。ガイドレールに沿って走行するガイド走行体Ｂが前記フック部材２に係止された状態から前記摺動部材１の摺動領域を戸閉方向に移動すること。前記シリンダ筺体部４ａとピストンロッド４ｂと液体から構成され、前記コイルスプリング３の弾性力による移動速度を低減させる往復型液圧ダンパ４が具備されること。【選択図】      図１
2006063767.tif 000002
【特許請求の範囲】
【請求項１】
ガイドレールの端部箇所に装着されたケーシング内において適宜の領域を摺動する摺動部材に回動自在にフック部材が装着され、前記摺動部材がコイルスプリングを介して戸閉側に付勢され、ガイドレールに沿って走行するガイド走行体が前記フック部材に係止された状態から前記摺動部材の摺動領域を戸閉方向に移動するとともに、シリンダ筺体部とピストンロッドと液体から構成され、且つ前記コイルスプリングの弾性力による移動速度を低減させる往復型液圧ダンパが具備されてなることを特徴とする引戸の戸閉装置。
【請求項２】
摺動部材と、該摺動部材に枢支連結する回動基部と被係止片と被当接片と前記回動基部の回動動作にて上方に突出する係合部とからなるフック部材と、前記摺動部材を戸閉側方向に弾性的に付勢するコイルスプリングと、シリンダ筺体部と、該シリンダ筺体部内を往復自在としたピストンロッドと、前記シリンダ筺体部に密封状に充填され、前記ピストンロッドに抵抗力を与える液体とからなる往復型液圧ダンパと、前記摺動部材，フック部材，コイルスプリング，往復型液圧ダンパが装着され且つ前記摺動部材が水平方向に沿って案内される主案内部と該主案内部の戸開き寄り箇所に被係合面部が形成され且つガイドレールに装着されるケーシングと、前記ガイドレールに沿って走行するガイド走行体に設けられ，移動方向に沿って延出する腕状部の先端に前記被係止片に係止し且つ被当接片に当接する係止部が形成された案内部材とからなり、前記フック部材は、前記摺動部材が戸開側端部の位置のみ揺動し、前記係合部が前記被係合面部に係合自在とし、前記往復型液圧ダンパのピストンロッドは、前記摺動部材の移動方向と同一方向とするとともに、該摺動部材のコイルスプリングによる移動速度を低減させてなることを特徴とする引戸の戸閉装置。
【請求項３】
請求項２において、前記往復型液圧ダンパは、前記コイルスプリングと略並列に配置されてなることを特徴とする引戸の戸閉装置。
【請求項４】
請求項２において、前記コイルスプリング内部側に前記往復型液圧ダンパのピストンロッドが配置されてなることを特徴とする引戸の戸閉装置。
【発明の詳細な説明】
【技術分野】
【０００１】
本発明は、食器棚，本棚，陳列棚等の種々の収納家具における引戸において、特に引戸の戸閉側端部付近に近接させることで、その引戸を戸閉側端部に強制的に引き寄せるとともに、その戸閉終了間際における引戸の速度が適正に減速され良好な戸閉動作とすることができ、且つ開閉開始時における引戸の動作を安定させることができる引戸の戸閉装置に関する。
【背景技術】
【０００２】
従来より下記特許文献１等に見られるような引戸装置が存在している。そして食器棚，本棚，陳列棚等の種々の収納家具には、ガラス窓を備えた引戸が装着されることが多い。この引戸は、小さい間口の収納家具であれば間口箇所の上下にガイドレールが形成され、ガラス板の上下端部がそのガイドレールに挿入された極めて簡単な構造のものでよい。しかし、高級な家具や高級なキャビネットでは、引戸の開き及び閉めの動作にも重厚且つ上品であることが要求される。特に、大型の家具では引戸も大型となり、引戸自体の重量も極めて大きくなる。
【０００３】
【特許文献１】特開２００２−１３８７３９号
【発明の開示】
【発明が解決しようとする課題】
【０００４】
このような大型の引戸は、その重量が重いため、引戸が一旦，移動し始めるとその勢いにより、戸閉端部に大きな衝撃を有して衝突状に当接するおそれがある。このような状態は、家具の品質を低下させ、高級家具やキャビネットに相応しいとはいえないものである。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００５】
このようなことも家具の品質を低下させる原因となる。さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。また、引戸を開けるときに、把手の位置によっては、引戸には移動方向にモーメントがかかり、引戸がガイドレールに対して傾斜してしまうことがあり、開閉動作が安定しにくいことがありうる。本発明の目的は、特に高級家具及びキャビネットにおける引戸の戸閉側端部付近に近接させることで、その引戸を戸閉側端部に強制的に引き寄せ、その戸閉終了間際における引戸の速度が適正に減速され良好な戸閉動作とし、さらに戸閉装置を小型なものとし、引戸のガイドレールに直接組付け、引戸装置に組み込むためのスペースを僅かなものとし、さらに引戸開閉時における動作を安定させることを目的とする。
【課題を解決するための手段】
【０００６】
そこで、発明者は、上記課題を解決すべく、鋭意，研究を重ねた結果、請求項１の発明を、  ガイドレールの端部箇所に装着されたケーシング内において適宜の領域を摺動する摺動部材に回動自在にフック部材が装着され、前記摺動部材がコイルスプリングを介して戸閉側に付勢され、ガイドレールに沿って走行するガイド走行体が前記フック部材に係止された状態から前記摺動部材の摺動領域を戸閉方向に移動するとともに、シリンダ筺体部とピストンロッドと液体から構成され、且つ前記コイルスプリングの弾性力による移動速度を低減させる往復型液圧ダンパが具備されてなる引戸の戸閉装置としたことにより、上記課題を解決したものである。
【０００７】
次に、請求項２の発明を、  摺動部材と、該摺動部材に枢支連結する回動基部と被係止片と被当接片と前記回動基部の回動動作にて上方に突出する係合部とからなるフック部材と、前記摺動部材を戸閉側方向に弾性的に付勢するコイルスプリングと、シリンダ筺体部と、該シリンダ筺体部内を往復自在としたピストンロッドと、前記シリンダ筺体部に密封状に充填され、前記ピストンロッドに抵抗力を与える液体とからなる往復型液圧ダンパと、前記摺動部材，フック部材，コイルスプリング，往復型液圧ダンパが装着され且つ前記摺動部材が水平方向に沿って案内される主案内部と該主案内部の戸開き寄り箇所に被係合面部が形成され且つガイドレールに装着されるケーシングと、前記ガイドレールに沿って走行するガイド走行体に設けられ，移動方向に沿って延出する腕状部の先端に前記被係止片に係止し且つ被当接片に当接する係止部が形成された案内部材とからなり、前記フック部材は、前記摺動部材が戸開側端部の位置のみ揺動し、前記係合部が前記被係合面部に係合自在とし、前記往復型液圧ダンパのピストンロッドは、前記摺動部材の移動方向と同一方向とするとともに、該摺動部材のコイルスプリングによる移動速度を低減させてなる引戸の戸閉装置としたことにより、上記課題を解決したものである。
【０００８】
さらに、請求項３の発明を、前述の構成において、前記往復型液圧ダンパは、前記コイルスプリングと略並列に配置したり、又は請求項４の発明を、前記コイルスプリング内部側に前記往復型液圧ダンパのピストンロッドを配置することにより、上記課題を解決したものである。
【発明の効果】
【０００９】
請求項１の発明によれば、引戸の開閉では、初期動作でガタついたり振動することなく、スムーズに開閉でき、特に高級な家具やキャビネット等の引戸装置として使用した場合に引戸の動作が極めて良好であり、且つ戸閉完了時は極めて静かである。また引戸を戸閉側端部に強制的に引き寄せ、その戸閉終了間際における引戸の速度が適正に減速され良好な戸閉動作とし、さらに戸閉装置を小型なものとし、引戸のガイドレールに直接組付け、引戸装置に組み込むためのスペースを僅かなものとすることができる。
【００１０】
また、シリンダ筺体部とピストンロッドと液体から構成された往復型液圧ダンパを使用して、前記コイルスプリングの弾性力による移動速度を低減させるものであり、引戸の移動速度の減速が良好に行なわれるものである。さらに、引戸の移動速度を減速させるために、往復型液圧ダンパを使用することで、極めて簡単な構成とすることができ、その動作も確実なものにできる。
【００１１】
請求項２の発明によれば、前記ピストンロッドは、前記摺動部材の移動方向と同一方向であり、該摺動部材の戸閉方向移動に対する抵抗力をほとんど無駄なく作用させることができるものである。請求項３の発明によれば、コイルスプリングと往復型液圧ダンパとを並列状態に配置したことで、コイルスプリング又は往復型液圧ダンパの取替，交換が簡単にできる。さらに、コイルスプリングと往復型液圧ダンパとを並列に配置することで、構造を極めて簡単にすることができる。請求項４の発明によれば、ケーシング内への往復型液圧ダンパ及びコイルスプリングの収納スペースを小さくすることができ、ひいては、戸閉装置をより一層コンパクトな形状にすることができる。
【発明を実施するための最良の形態】
【００１２】
以下、本発明の実施形態を図面に基づいて説明する。本発明の主に上下のガイドレール側に固定する摺動部材１，フック部材２，コイルスプリング３、往復型液圧ダンパ４及びケーシングＡ等からなる戸閉装置構成部（戸閉具）と、引戸１８側に装着されるガイド走行体Ｂと、上下のガイドレール及びこれらが装着されるキャビネット等から構成される。まず、戸閉装置構成部（戸閉具）において、前記摺動部材１は、図２、図４、図５等に示すように、略角軸状の摺動本体部１ａを有している。該摺動本体部１ａは、断面略方形状に形成されたもので、その上面側が平坦面として形成されている。
【００１３】
その摺動本体部１ａの長手方向一端側には、図２（Ａ）、図４（Ａ）に示すように、枢支連結部１ｃが形成されている。該枢支連結部１ｃには、連結軸片１ｃ1 が形成され、該連結軸片１ｃ1 を介して、図４（Ａ）に示すように、後述するフック部材２と枢支連結されるものである。さらに前記摺動本体部１ａの長手方向端面で前記枢支連結部１ｃの付近には被案内突起片１ｄが形成されている。該被案内突起片１ｄは、図２、図４（Ｂ）に示すように、摺動本体部１ａの長手方向に対して略直交するようにして水平方向に突出した部位であり、且つその上面は平坦面状に形成されている。
【００１４】
そして、後述するケーシングＡの主案内部６に沿って摺動する部位となる。さらに被案内突起片１ｄ箇所から下方に向けて突出するようにして摺動部材操作片１ｆが形成されている。また、さらに摺動部材操作片１ｆには、後述するコイルスプリング３の端部が引っ掛けられるコイルスプリング連結部１ｅが形成されている。また前記摺動本体部１ａには、後述するケーシングＡ側に形成された摺動規制部１１に係合する摺動規制突起１ｇが形成される〔図４（Ａ）参照〕。該摺動規制突起１ｇは、その摺動部材１の長手方向において戸閉側寄り端部に形成され、且つ摺動部材１の長手方向に直交する方向に突出形成されたものである。
【００１５】
また、摺動部材１の戸開側端部には、上方に突出する突出部１ｈが形成され、該突出部１ｈの先端が後述するフック部材２に当接して、フック部材２の揺動範囲を規制する役目をなすものとすることもある。なお、ここで、戸閉側及び戸開側について説明すると、その戸閉側とは引戸１８を閉める場合に移動する方向であり、図１において左側から右側に向かう方向である。また戸開側とは図１（Ａ）において、右側から左側に向う方向である。さらに、ケーシングＡ内においては、図１（Ｂ）に示すように、右側寄りが戸閉側であり、左側寄りが戸開側である。
【００１６】
次に、フック部材２は、回動基部２ａと、フック部２ｂと、前記回動基部２ａの揺動動作にて上方に突出する係合部２ｃとから構成される。そのフック部２ｂは、被係止片２ｂ1 と被当接片２ｂ2 から構成され、該被係止片２ｂ1 と被当接片２ｂ2 とは略平行状態となっている。その被係止片２ｂ1 は、図５（Ａ），（Ｂ）に示すように、被当接片２ｂ2 よりもその高さ方向の寸法が低く形成されている。
【００１７】
また、被係止片２ｂ1 と被当接片２ｂ2 との間の形状は略Ｕ字形状の凹み部２ｂ3 となっており、その凹み部２ｂ3 に後述するガイド走行体Ｂの案内部材１５が挿入することができるようになっている。その回動基部２ａには、前記摺動部材１に枢支連結部１ｃに形成された連結軸片１ｃ1 が挿入される枢支孔２ａ1 が形成され、前記連結軸片１ｃ1 が枢支孔２ａ1 に挿入されることで、摺動部材１とフック部材２とが連結され、該フック部材２は摺動部材１に対して上下方向に回動自在となる〔図４，図５，図７（Ａ），図８等参照〕。前記係合部２ｃは、前記回動基部２ａの枢支孔２ａ1 を中心として円弧状に形成された部位である。具体的には、その係合部２ｃは、回動基部２ａの外周側面として形成された部位である。該係合部２ｃは、後述するケーシングＡ内に形成された被係合面部７と円弧状に回動可能に近接又は接触する部分である。そして前述したように、フック部材２と摺動部材１との枢支連結部１ｃの連結軸片１ｃ1 が枢支孔２ａ1 により、揺動するときの中心を、前記係合部２ｃの円弧の中心としたものである。
【００１８】
また、フック部材２のフック部２ｂには、ガイド突起２ｄが形成されることもある。該ガイド突起２ｄは、後述するケーシングＡに形成された補助案内部１２に挿入して、フック部材２をケーシングＡの長手方向に沿って良好に移動させるとともに、そのフック部材２の回動動作も良好且つ正確に行わせようとするものである。
【００１９】
さらに、前記回動基部２ａには、図４（Ｂ），図５等に示すように、下方に向かってフック操作片２ｅが形成されている。該フック操作片２ｅは誤動作により、ケーシングＡ内に納まってしまった場合に、フック操作片２ｅを介して強制的にケーシングＡの外部に移動させる役目をなすものである。そして、そのフック操作片２ｅは、前記摺動部材操作片１ｆとともにケーシングＡの外部に突出して、ケーシングＡの外部より摺動部材１及びフック部材２の強制移動の操作ができるものである（図３参照）。さらに、前記回動基部２ａの頂部箇所で且つフック部２ｂの幅方向より直角となるように係止用突起片２ｆが形成されている。該係止用突起片２ｆは、フック部材２が摺動部材１とともに後述する主案内部６に沿って移動するときに、前記係止用突起片２ｆが主案内部６に当接して移動するものである。
【００２０】
次に、ケーシングＡは、２つに分割されたものであり、第１ケーシング部Ａ1 及び第２ケーシング部Ａ2 とから構成される。図６は、第１ケーシング部Ａ1 の内部側より見た図である。その第１ケーシング部Ａ1 の第１本体５の内部側には、主案内部６が形成されている。その主案内部６は、第１ケーシング部Ａ1 の長手方向に沿って直線状に形成された部位であり、且つその下面側が平坦状に形成されたものである。具体的には、その主案内部６は、第１本体５の表面より内方側に膨出した形状となっている。
【００２１】
また、上記主案内部６は、前記第１本体５の長手方向の戸開側の略半分の領域に形成されたものである。主案内部６は前述したように、下面側が平坦状となって形成され、前記摺動部材１の被案内突起片１ｄの上端面が当接し、また前記フック部材２の係止用突起片２ｆも主案内部６に当接する。その主案内部６の開き側方向端部箇所には、被係合面部７が形成されている。該被係合面部７は、図６乃至図８等に示すように、円弧状に形成されている。具体的には、前記フック部材２が凸状の円弧状面、すなわち円弧状凸面部であり、前記被係合面部７が凹状の円弧状面すなわち円弧状凹面部である。前記係合部２ｃと被係合面部７との曲率の半径は略等しく、前記係合部２ｃは被係合面部７に沿ってスムーズに回動動作を行うことができるものである。
【００２２】
そして、そのフック部材２は、主案内部６に沿って移動し被係合面部７の箇所に到達すると係合部２ｃが被係合面部７に沿って摺動するようにして移動しフック部材２の揺動動作を行うことができるものである。そして前記フック部材２の係合部２ｃが前記被係合面部７に係合することによりフック部材２は被係合面部７箇所にコイルスプリング３の弾性力に抗して仮停止状態となる。この仮停止状態とは、多少の振動等では動作しないが、ガイド走行体Ｂの係止部１５ｂが当接したときに移動できる程度の停止維持が可能な状態をいう。
【００２３】
このときフック部材２は、被係止片２ｂ1 の上端が被当接片２ｂ2 の上端よりも低くなるように傾斜状態にある。この状態でガイド走行体Ｂの案内部材１５は被係止片２ｂ1 と被当接片２ｂ2 との間に出入自在なる状態となる。さらに第１ケーシング部Ａ1 内には往復型液圧ダンパ４が装着される。その主案内部６の下方側に前記摺動部材１の被案内突起片１ｄが当接される。前記コイルスプリング３の弾性力Ｆは、前記往復型液圧ダンパ４によって生じる抵抗力Ｔよりも大きいことが条件であるが、その弾性力Ｆと抵抗力Ｔとの差は適宜に設定される。
【００２４】
次に、第２ケーシング部Ａ2 について説明する。図１（Ｂ）は、第２ケーシング部Ａ2 内部を見た図で、摺動部材１，フック部材２，コイルスプリング３及び往復型液圧ダンパ４が装着されたものである。図３（Ｂ）は、第２ケーシング部Ａ2 を外部より見た図である。なお、図３（Ａ）は、第２ケーシング部Ａ2 と第１ケーシング部Ａ1 とを組み合わせた図であり、第１ケーシング部Ａ1 側より見た図である。
【００２５】
その第２本体１０に、摺動規制部１１及び補助案内部１２が形成されている。その摺動規制部１１は、直線状であり、前記摺動部材１の摺動規制突起１ｇが挿入し、摺動部材１のケーシングＡ内での移動範囲を規制するものである。すなわち、摺動部材１がケーシングＡ内を適正に移動できるようにするとともに、摺動部材１及びフック部材２がケーシングＡの外部へ脱落しないようにするための役目をなす。また、摺動部材１の適正な移動とは、ガイド走行体Ｂの係止部１５ｂにより戸開方向に引き出されたフック部材２が被係合面部７箇所で仮停止できる範囲の移動のことをいう。前記摺動規制部１１は、スリット状に形成されたものであり、前記摺動部材１の摺動規制突起１ｇがスムーズに移動できる程度の溝幅を有している。
【００２６】
次に、前記補助案内部１２は、図３（Ｂ）に示すように、前記フック部材２のガイド突起２ｄが挿入し、フック部材２が安定した状態でケーシングＡの長手方向の移動及び揺動動作を案内する部位である。該補助案内部１２は、直線スリット状に形成された直線摺動案内部１２ａと、且つフック部材２が揺動する揺動案内部１２ｂとから構成されている。前記直線摺動案内部１２ａは、フック部材２が摺動部材１とともにケーシングＡ内を長手方向に移動するときにフック部材２の移動を支持する役目をなしている。また、揺動案内部１２ｂは、フック部材２が揺動動作を行うときに安定した状態で移動することができるようになっている。
【００２７】
この補助案内部１２は、前記第１ケーシング部Ａ1 の主案内部６及び被係合面部７による摺動部材１とフック部材２との動作をより一層確実にする役目をなしている。したがって、この補助案内部１２は、形成されないこともある。また、前記主案内部６と被係合面部７とが形成されずに、補助案内部１２のみが形成されることも可能であるが、この場合には、摺動部材１を摺動させるための別のガイド部が必要となる。
【００２８】
第２ケーシング部Ａ2 には、後述するガイドレール１７の端部に装着するための装着用突出部１３が形成されている。該装着用突出部１３は、ガイドレール１７の長手方向の端部より長手方向に沿って差し込むことにより、ケーシングＡをガイドレール１７に安定した状態に維持できるものである。また、前記補助案内部１２の揺動案内部１２ｂは装着用突出部１３に形成されることで、フック部材２の一部がケーシングＡから突出した状態で、安定した揺動動作を行わせることができる。なお、第２ケーシング部Ａ2 の下部には前記第１ケーシング部Ａ1 との接合箇所に、筋状で且つ前記摺動部材操作片１ｆ及びフック操作片２ｅがケーシングＡ外部に突出する操作用スリットが形成可能な、切除部１０ａが形成されている。
【００２９】
次に、前記コイルスプリング３は、図２（Ｂ）に示すように、弾性部３ａの長手方向の両側に連結部３ｂ，３ｂが形成され、その一方の連結部３ｂが第２ケーシング部Ａ2 のコイルスプリング連結部１４に連結され、またその他方の連結部３ｂが摺動部材１のコイルスプリング連結部１ｅに連結される。第２ケーシング部Ａ2 内には、その弾性部３ａが伸縮自在に収納されている。
【００３０】
次に、往復型液圧ダンパ４は、図２，図４等に示すように、主にシリンダ筺体部４ａとピストンロッド４ｂから構成される。そのシリンダ筺体部４ａ内には、液体が充填されており、特に粘性のある液体が好適である。その液体は、具体的にはオイルやグリス等である。また、粘性のある液体であれば、前記材質，物質に限定されない。そのシリンダ筺体部４ａは、これらの液体が漏れることのないように密封性を有したものである。
【００３１】
さらに、シリンダ筺体部４ａ内には復帰用スプリングが装着され、前記ピストンロッド４ｂがシリンダ筺体部４ａから常時突出した状態に維持されるように弾性的に付勢されている。そして、前記ピストンロッド４ｂがシリンダ筺体部４ａ内に一旦引き込んでも、前記復帰用スプリングを介して、直ぐに元の突出状態に戻って復帰することができる。この往復型液圧ダンパ４は、ピストンロッド４ｂが通常は、図１（Ｂ）に示すように、突出した状態であり、このピストンロッド４ｂがシリンダ筺体部４ａに引き込む動作を行なう場合には、内部に充填された液体や復帰用スプリング等が抵抗力となり、コイルスプリング３の弾性力Ｆを減衰させてゆくことができる。
【００３２】
前述したように、往復型液圧ダンパ４は、ケーシングＡ内に装着されるものであって、その装着構成には２つのタイプが存在する。第１タイプの装着構成は、コイルスプリング３と往復型液圧ダンパ４とがケーシングＡ内に並列に配置されるものである。まず、その第１ケーシングＡ1 又は第２ケーシングＡ2 の少なくともいずれか一方のケーシングＡに往復型液圧ダンパ４を収納するダンパ収納室９が形成されている。該ダンパ収納室９内にて往復型液圧ダンパ４が不動状態に固定されるようになっている。具体的には、そのダンパ収納室９は、図１（Ａ）乃至（Ｃ）に示すように、仕切壁９ａによって構成されたものであり、前記往復型液圧ダンパ４は、前記仕切壁９ａによって囲まれるようにしてケーシングＡに装着されている。
【００３３】
この往復型液圧ダンパ４は、そのピストンロッド４ｂが前記ケーシングＡ内において前記コイルスプリング３と略平行となるようにして並列状態に配置される。すなわち、前記ケーシングＡ内において、コイルスプリング３と往復型液圧ダンパ４とを別々に配置するものである。これによって、コイルスプリング３又は往復型液圧ダンパ４に劣化が現れたときに、比較的簡単にこれらを取替，交換することができるものである。具体的には、前記コイルスプリング３の他方側の連結部が前記往復型液圧ダンパ４のダンパ収納室９の仕切壁９ａに形成されたコイルスプリング連結部１４に引っ掛けられている。
【００３４】
そして、コイルスプリング３の弾性力に抵抗しつつ往復型液圧ダンパ４のピストンロッド４ｂがシリンダ筺体部４ａ内に入り込んでゆく。さらに、コイルスプリング３と往復型液圧ダンパ４との第２タイプの装着構成としては、図１３（Ａ），（Ｂ）に示すように、コイルスプリング３の内周側に往復型液圧ダンパ４が収納される状態となったものである。この場合には、往復型液圧ダンパ４の軸方向後端部がケーシングＡ内に固定されるものである。前記コイルスプリング３は、往復型液圧ダンパ４のピストンロッド４ｂ及びシリンダ筺体部４ａを内周部に収納する構成としている。このように、コイルスプリング３内に往復型液圧ダンパ４を収納する構成としたことで、コイルスプリング３及び往復型液圧ダンパ４の収納スペースを小さくすることができ、ひいては、戸閉装置をコンパクト化することができる。
【００３５】
この往復型液圧ダンパ４は、前記コイルスプリング３の弾性力Ｆによる摺動部材１の戸閉方向の速度を減少させる役目をなすものである。上記往復型液圧ダンパ４においては、図１，図２（Ｂ），図４（Ｂ），図５（Ｂ）等に示すように、前記摺動部材１を戸閉側に移動させる弾性力Ｆに対する抵抗力Ｔを生じて、弾性力Ｆから抵抗力Ｔを差し引いた戸閉力Ｐにより、摺動部材１及びフック部材２を戸閉側に移動させるものである。すなわち、引戸１８を支持するガイド走行体Ｂは、Ｆ−Ｔ＝Ｐによる力にて移動するものであり、また図１４に示すように、引戸１８の初速Ｖｎを、ガイド走行体Ｂの係止部１５ｂがフック部材２と係止した状態から戸閉が完了するまでの戸閉力Ｐによる低速な速度Ｖｍとすることができるものである。
【００３６】
次に、案内部材１５は、ガイド走行体Ｂに装着され，該ガイド走行体Ｂの移動方向に沿って延出する腕状部１５ａと，該腕状部１５ａの先端に形成された係止部１５ｂとから構成されており、該係止部１５ｂは、前記腕状部１５ａの長手方向に対して水平方向に鉤状として突出形成されている。そして、戸閉動作では前記被係合面部７に仮停止状態となっているフック部材２の被当接片２ｂ2 と当接して、フック部材２を被係合面部７から主案内部６に移動させるとともに、係止部１５ｂが被係止片２ｂ1 と被当接片２ｂ2 との間に収まり、前記フック部材２に係合される。
【００３７】
前記案内部材１５は、ガイド走行体Ｂとの連結部位であり、具体的にはガイド走行体Ｂの主要部位である走行部１６に装着される。前記ガイド走行体Ｂは、図９に示すように、引戸１８をガイドレール１７に沿って移動させる役目をなすものである。そのガイドレール１７には、引戸１８の上方に位置するものと、引戸１８の下方に位置するものとがある。何れのガイドレール１７も、１本又は複数本のレール部１７ａ，１７ａが形成されている。これらのガイドレール１７のレール部１７ａ，１７ａは、全て下方にガイド用開口１７ａ1 が形成され、そのガイド用開口１７ａ1 の片側或いは両側にレール部１７ａ2 ，１７ａ2 が形成されている。
【００３８】
前記ガイド走行体Ｂは、上部のガイドレール１７に対応するものとして、ハングローラタイプで、走行部１６は、走行本体部１６ａとローラ部１６ｂ，１６ｂとから構成されている。その走行本体部１６ａには、引戸１８に対する上下方向に位置調整する役目をなす支持軸部１６ｃが具備され、該支持軸部１６ｃの下部には引戸１８との接続をするための接続具１９が装着されている。そして、ガイド走行体Ｂと引戸１８とは接続具１９を介して接続が行われる。
【００３９】
また、引戸１８の下部側にもガイド走行体Ｂが装着されている。該下部側のガイド走行体Ｂは、下部のガイドレール１７に装着されており、上部側のガイドレール１７に装着されているガイド走行体Ｂと略同等のものが装着されるものであり、下部のガイド走行体Ｂは、前記ガイドレール１７内を摺動する構造となっている。この下部側のガイドレール１７にも、戸閉具が装着され、また下部側のガイド走行体Ｂには案内部材１５が設けられている。下部側のガイド走行体Ｂに案内部材１５を装着する構造は上部のガイド走行体Ｂに案内部材１５を装着する場合と略同様である。
【００４０】
なお、上部のガイドレール１７に戸閉具が装着され、ガイド走行体Ｂに案内部材１５が装着されている場合には、下部のガイドレール１７には、特に戸閉具を装着しないこともある。また、上部のガイドレール１７に本発明の戸閉装置を装着しないで、下部のガイドレール１７に本発明の戸閉装置を装着することもある。なお、図１４は、本発明の戸閉装置が装着された引戸装置を有する家具を示したものである。
【００４１】
次に、本発明における戸閉装置による引戸１８の戸閉及び戸開きのそれぞれの動作を説明する。まず引戸の戸閉動作を図１０，図１１に基づいて説明すると、図１０（Ａ）に示すように、摺動部材１とフック部材２と枢支連結されており、その初期状態でフック部材２の係合部２ｃがケーシングＡ（第１ケーシング部Ａ1 ）の被係合面部７に係合された状態で仮停止状態にある。そして、開き状態の引戸１８が戸閉方向〔図１０（Ａ）において左側から右側方向〕に移動すると、フック部材２に次第に近接し、図１０（Ｂ）に示すように、案内部材１５の係止部１５ｂ先端がフック部材２の被当接片２ｂ2 に当接する。
【００４２】
さらに、ガイド走行体Ｂが戸閉方向に移動すると、係止部１５ｂが被当接片２ｂ2 を押し付けるように作用し、フック部材２の回動基部２ａが摺動部材１に対して回動しながら前記係合部２ｃがケーシングＡの被係合面部７から離脱し、フック部材２の仮停止状態が解除される。具体的には、図７（Ｂ）及び図８（Ｂ）において回動基部２ａが時計方向に回転しながら、係合部２ｃが被係合面部７から離脱する。このとき、ガイド走行体Ｂの係止部１５ｂは、図１０（Ｃ）及び図１１（Ａ）に示すような過程を経て、フック部材２の被当接片２ｂ2 と当接しながら被係止片２ｂ1 と被当接片２ｂ2 との間の略Ｕ字形状の凹み内に収まる。
【００４３】
そして、係止部１５ｂとフック部材２との係止動作とともに、該フック部材２の仮停止状態が解除され、略同時に該フック部材２の平坦状に形成されたガイド突起２ｄが主案内部６に接触する状態に移行され、そのフック部材２の摺動面部２ｄが前記摺動部材１の被案内突起片１ｄとともに前記コイルスプリング３の弾性力Ｆによって戸閉方向に移動するものである。そのコイルスプリング３による摺動部材１及びフック部材２の戸閉方向への移動動作時には、抵抗力Ｔがコイルスプリング３の弾性力Ｆによる弾性付勢方向に対して作動する。これによって、コイルスプリング３の弾性力Ｆから往復型液圧ダンパ４の抵抗力Ｔを差し引いた力，すなわちＦ−Ｔなる力が実質的な戸閉力Ｐとなる。そして、この戸閉力Ｐにより、引戸１８は、人の戸閉作業による初期戸閉速度Ｖｎから前記減速されて、その戸閉力Ｐにより緩やかな速度Ｖｍとなって、戸閉動作が行われ、戸閉側に強制的に移動され、戸閉方向端部に到達して戸閉動作を完了するものである〔図１１（Ｂ），図１４等参照〕。
【００４４】
次に、引戸１８の戸開き動作を図１２に基づいて説明する。まず、フック部材２は、図１２（Ａ）に示すように、初期状態で戸閉側寄り〔図１２（Ａ）において右側寄り〕に位置しており、前記ガイド走行体Ｂに装着された案内部材１５はフック部材２の被係止片２ｂ1 と係止状態にある。そして図１２（Ｂ）に示すように、前記引戸１８を戸開き方向（図１２（Ｂ）において右側から左側方向〕に移動させることで、ガイド走行体Ｂに装着された案内部材１５が係止状態にあるフック部材２の被係止片２ｂ1 を引っ張るようにして主案内部６に沿って戸開き側へフック部材２及び摺動部材１を強制的に移動させる。
【００４５】
さらに、引戸１８を戸開き方向に移動させ、フック部材２が被係合面部７箇所に到達すると、摺動規制突起１ｇが摺動規制部の戸開側端部に当接して、摺動部材１の摺動動作におけるストッパの役目をなし、摺動部材１の摺動が停止される。このときには、フック部材２の係合部２ｃは被係合面部７箇所に到達している。さらに前記引戸１８の戸開動作が続行されることにより、ガイド走行体Ｂの係止部１５ｂによってフック部材２の被係止片２ｂ1 が引き出されるようにしてフック部材２が回動基部２ａを介して回転する。具体的には、図７（Ｂ），図８（Ｂ），図１２（Ｃ）に示すように、フック部材２は回動基部２ａを中心とし反時計方向に回転し、係合部２ｃが被係合面部７に移動して係合される。フック部材２は、摺動部材１と該摺動部材１に連結されているコイルスプリング３の弾性力により、係合部２ｃと被係合面部７とが適宜の圧力により係合当接した状態が維持され、これによって、フック部材２は被係合面部７箇所で仮停止状態となる。
【００４６】
そのフック部材２は、戸開側にて傾斜した状態となっているので、被係止片２ｂ1 の頂部箇所が低くなることにより、ガイド走行体Ｂの係止部１５ｂは、被係止片２ｂ1 から離脱し、係止部１５ｂとフック部材２との係止状態が解除され、引戸１８はさらに開き側に移動し、開き動作を完了する。なお、図１０乃至図１２において、主案内部６及び被係合面部７は、第１ケーシング部Ａ1 側に形成されたものであるから、その主案内部６及び被係合面部７は、想像線で記載することにする。
【００４７】
本発明は、キャビネット等における戸閉側箇所にそれぞれ装着されるものであって、ケーシングＡ内において適宜の領域を摺動する摺動部材１に回動自在にフック部材２が装着され、前記摺動部材１がコイルスプリング３を介して戸閉側に付勢され、且つ該コイルスプリング３の弾性力Ｆを減少させる往復型液圧ダンパ４による抵抗力Ｔにて、上下のガイドレール１７に沿って走行するガイド走行体Ｂが前記フック部材２に係止された状態から前記摺動部材１の摺動領域を戸閉方向に移動することにより、緩やかな引戸１８の戸閉動作を得ることができ、しかも戸閉及び戸開きの初期動作をガタの無い安定したものにできる。
【００４８】
すなわち、摺動部材１とフック部材２とは、枢支連結されてフック部材２が揺動自在としたものである。また、その摺動部材１がケーシングＡ内を戸閉方向に移動する力は、コイルスプリング３の弾性力Ｆによるが、該弾性力Ｆを減少させる前記往復型液圧ダンパ４が具備されているので、前記ガイド走行体Ｂはコイルスプリング３の弾性力Ｆから往復型液圧ダンパ４の抵抗力Ｔを差し引いた力にて戸閉方向に移動させることができ、極めて緩やかで安定した極めて良好なる戸閉動作を行うことができる。そのガイドレール１７には、戸閉装置構成部（戸閉具）が装着され、ガイド走行体Ｂは、それぞれの案内部材１５，１５によって、ガタの無い安定した戸閉，戸開き動作をすることができるものである。
【００４９】
次に、本発明では、前記引戸１８の戸閉側端部付近に近接させることで、その引戸１８を戸閉側端部に強制的に引き寄せるとともに、その戸閉終了間際における引戸１８の速度が緩やかに減速され良好な戸閉動作を得ることができる。さらに戸閉装置を小型なものとし、引戸１８のガイドレール１７に直接組付け、引戸装置に組み込むためのスペースを僅かなものとすることができる。また、戸閉及び戸開きの初期動作において引戸１８が傾いたりすることなくガタの無い安定したものにできる。
【００５０】
すなわち、被係止片２ｂ1 と被当接片２ｂ2 とが形成されたフック部材２は、摺動部材１に対して揺動自在であり、また、前記回動基部２ａの回動動作にて係合部２ｃが上方に突出するようになっている。前記フック部材２は、前記摺動部材１が戸開側端部の位置のみ揺動し、前記係合部２ｃが前記被係合面部７に係合自在である。したがって、戸閉動作の場合には、初期状態でフック部材２が戸開側に安定した状態で仮停止状態にできる。すなわち、フック部材２は、揺動動作を行うときに左右方向への振れが少なく、よって故障も極めて少ないものにできる。
【００５１】
さらに、ガイド走行体Ｂの係止部１５ｂがフック部材２に係止しようとするときには、滑らかに係止され、且つコイルスプリング３により摺動部材１とフック部材２とが戸閉方向に移動するが、このときコイルスプリング３に弾性力Ｆを減少させるように往復型液圧ダンパ４の抵抗力Ｔが作用し、ガイド走行体Ｂを移動させる摺動部材１及びフック部材２はケーシングＡ内で適正に緩やかな速度にて移動させることができるものである。また、本発明では、ケーシングＡ内の摺動部材１及びフック部材２は、ケーシングＡの長手方向に沿って移動し、且つその移動方向は、ガイドレール１７内のガイド走行体Ｂの移動方向と同一である。
【００５２】
よって、本発明におけるケーシングＡはガイド走行体Ｂの長手方向の端部に装着することができ、それゆえに、ガイドレール１７と略一体化され、本発明の装置の装着容易且つ装着箇所の省スペース化を実現することができる。また、ガイドレール１７は、戸閉装置構成部（戸閉具）が装着されており、引戸１８の戸閉及び戸開きでは、ガイドレール１７に装着した戸閉装置構成部（戸閉具）とガイド走行体Ｂは案内部材１５を介してバランス良く、動作することができ、戸閉及び戸開きの初期動作において、引戸１８が傾いたりすることなくガタの無い安定したものにできる。
【００５３】
また、前記ケーシングＡは、ガイドレール１７の長手方向端部に略一直線状に設置されたことにより、戸閉装置の全体構成をコンパクトにまとめることができる。また、前記ケーシングＡは、キャビネットの頂板裏面側及び底板上面側で且つ上下のガイドレール１７に平行状態に隣接して設置し、戸閉装置構成部（戸閉具）のケーシングＡは、キャビネット側に装着することで、比較的強固な取付構造にすることができる。
【００５４】
次に、前記係合部２ｃと被係合面部７は枢支連結部を回動中心とする円弧状凸面部と円弧状凹面部に形成することにより、フック部材２が主案内部６から被係合面部７箇所に移動して、係合部２ｃと前記被係合面部７に係合するときに、フック部材２の回動動作が極めて滑らかにできるものである。
【図面の簡単な説明】
【００５５】
【図１】（Ａ）は本発明の戸閉装置が引戸に装着された状態の一部断面にした要部正面図、（Ｂ）は戸閉装置の拡大図、（Ｃ）は戸閉装置のフック部材がケーシング内に引き込んだ状態の拡大図である。
【図２】（Ａ）は摺動部材とフック部材とシリンダの分解斜視図、（Ｂ）はフック部材箇所の一部断面にした拡大図である。
【図３】（Ａ）は戸閉装置の要部を第１ケーシング部側から見た側面図、（Ｂ）は戸閉装置の要部を第２ケーシング部側から見た側面図である。
【図４】（Ａ）は摺動部材とフック部材と往復型液圧ダンパの側面図、（Ｂ）は摺動部材とフック部材と往復型液圧ダンパの斜視図である。
【図５】（Ａ）は摺動部材と傾斜した状態のフック部材との拡大側面図、（Ｂ）は摺動部材とフック部材との拡大側面図である。
【図６】第１ケーシング部の側面図である。
【図７】（Ａ）はフック部材が主案内部に位置している状態の作用図、（Ｂ）はフック部材が被係合面部に位置している状態の作用図である。
【図８】（Ａ）はフック部材が主案内部に位置している状態の拡大作用図、（Ｂ）はフック部材が被係合面部に位置している状態の拡大作用図である。
【図９】（Ａ）はガイド走行体の斜視図、（Ｂ）は本発明の戸閉装置が装着された引戸装置の縦断側面図である。
【図１０】（Ａ）はガイド走行体の係止部がケーシングのフック部材に近接する状態の作用図、（Ｂ）はガイド走行体の係止部がケーシングのフック部材の被当接片に当接した状態の作用図、（Ｃ）はガイド走行体の係止部がケーシングのフック部材に係止した状態の作用図である。
【図１１】（Ａ）はガイド走行体の係止部がケーシングのフック部材に係止してフック部材の仮停止状態を解除した作用図、（Ｂ）は戸閉が完了した状態の作用図である。
【図１２】（Ａ）はガイド走行体の係止部がケーシング内のフック部材に係止している戸開開始の作用図、（Ｂ）は引戸を戸開方向に移動させてフック部材を戸開端部に移動させた状態の作用図、（Ｃ）はガイド走行体の係止部がケーシングのフック部材から離脱しフック部材を仮停止状態とした作用図である。
【図１３】（Ａ）往復型液圧ダンパの第２タイプの装着構成を示す拡大図、（Ｂ）は（Ａ）のフック部材がケーシング内に引込んだ状態の拡大図である。
【図１４】引戸の動作を示す作用図である。
【符号の説明】
【００５６】
Ａ…ケーシング、Ｂ…ガイド走行体１…摺動部材、２…フック部材、２ｃ…係合部、
３…コイルスプリング、４…往復型液圧ダンパ、４ａ…シリンダ筺体部、
４ｂ…ピストンロッド、７…被係合面部。
【図１】
2006063767.tif 000003
【図２】
2006063767.tif 000004
【図３】
2006063767.tif 000005
【図４】
2006063767.tif 000006
【図５】
2006063767.tif 000007
【図６】
2006063767.tif 000008
【図７】
2006063767.tif 000009
【図８】
2006063767.tif 000010
【図９】
2006063767.tif 000011
【図１０】
2006063767.tif 000012
【図１１】
2006063767.tif 000013
【図１２】
2006063767.tif 000014
【図１３】
2006063767.tif 000015
【図１４】
2006063767.tif 000016